(57)【要約】  クリックばね付きシートは、シート部材と、前記シート部材の一方の面に設けられたクリックばねと、前記シート部材の他方の面において、前記クリックばねの頂部と対向する位置に設けられた押し子部材と、を備え、前記押し子部材における前記シート部材との接触面は、溶着された部分であり、当該接触面の外周縁部に沿って設けられた溶着部と、溶着されていない部分であり、前記溶着部に囲まれた領域内に設けられた非溶着部とを、それぞれ有する。
2018235426.tif 000002
【特許請求の範囲】
【請求項１】
シート部材と、
前記シート部材の一方の面に設けられたクリックばねと、
前記シート部材の他方の面において、前記クリックばねの頂部と対向する位置に設けられた押し子部材と、
を備え、
前記押し子部材における前記シート部材との接触面は、
溶着された部分であり、当該接触面の外周縁部に沿って設けられた溶着部と、溶着されていない部分であり、前記溶着部に囲まれた領域内に設けられた非溶着部とを、それぞれ有する
ことを特徴とするクリックばね付きシート。
【請求項２】
前記接触面において、前記溶着部は、当該接触面の外周縁部に沿って全周に亘って形成されている
ことを特徴とする請求項１に記載のクリックばね付きシート。
【請求項３】
前記接触面において、前記溶着部は、当該接触面の外周縁部に形成されている
ことを特徴とする請求項１または２に記載のクリックばね付きシート。
【請求項４】
前記接触面において、前記溶着部に囲まれた領域内には、溶着された部分を有しない
ことを特徴とする請求項１から３のいずれか一項に記載のクリックばね付きシート。
【請求項５】
前記接触面は、円形状を有する
ことを特徴とする請求項１から４のいずれか一項に記載のクリックばね付きシート。
【請求項６】
１枚の前記シート部材に、前記クリックばねと前記押し子部材との組を複数有し、
前記複数の組の各々において、
前記押し子部材における前記シート部材との接触面は、
溶着された部分であり、当該接触面の外周縁部に沿って設けられた溶着部と、溶着されていない部分であり、前記溶着部に囲まれた領域内に設けられた非溶着部とを、それぞれ有する
ことを特徴とする請求項１から５のいずれか一項に記載のクリックばね付きシート。
【請求項７】
前記溶着は、レーザ溶着である
ことを特徴とする請求項１から６のいずれか一項に記載のクリックばね付きシート。
【請求項８】
シート部材と、
前記シート部材の一方の面に設けられたクリックばねと、
前記シート部材の他方の面において、前記クリックばねの頂部と対向する位置に設けられた押し子部材と、
を備えたクリックばね付きシートの製造方法であって、
前記押し子部材における前記シート部材との接触面に、溶着された部分であり、当該接触面の外周縁部に沿って設けられた溶着部と、溶着されていない部分であり、前記溶着部に囲まれた領域内に設けられた非溶着部とがそれぞれ形成されるように、前記シート部材に前記押し子部材を溶着する溶着工程
を含むことを特徴とする、クリックばね付きシートの製造方法。
【請求項９】
請求項１から７のいずれか一項に記載のクリックばね付きシートと、
前記クリックばね付きシートの前記一方の面に貼り合され、前記クリックばねと対向する表面上に、第１の固定接点および第２の固定接点を有し、前記クリックばねが押圧されて変形し、前記クリックばねが第１の固定接点および第２の固定接点の双方に接触することによって、前記第１の固定接点および前記第２の固定接点が互いに導通する基材と、
を備えることを特徴とするスイッチ装置。
【発明の詳細な説明】
【技術分野】
【０００１】
本発明は、クリックばね付きシート、クリックばね付きシートの製造方法、およびスイッチ装置に関する。
【背景技術】
【０００２】
従来、各種電子機器等に用いられるスイッチ装置として、クリックばね付きシートを用いたスイッチ装置が知られている。このクリックばね付きシートを用いたスイッチ装置は、フィルム状のシート部材の裏面に貼り付けられたクリックばねにより、スイッチ操作を行う際に、ユーザにクリック操作感を与えることができるようになっている。このようなクリックばね付きシートを用いたスイッチ装置の中には、シート部材の表面に押し子部材が設けられたものがある。【０００３】
例えば、下記特許文献１には、クリックばね付きシートを用いたスイッチ装置において、シート部材の表面に、クリックばねへの押圧力を伝達する押圧力伝達部材（押し子部材）を設け、シート部材と押圧力伝達部材との重ね合わせ部に、レーザを照射、あるいは超音波を印加させることにより、当該重ね合わせ部を溶着させて、シート部材と押圧力伝達部材とを固定する技術が開示されている。
【先行技術文献】
【特許文献】
【０００４】
【特許文献１】特開２００６−３４４５１１号公報
【発明の概要】
【発明が解決しようとする課題】
【０００５】
しかしながら、従来、押し子部材を備えるクリックばね付きシートを用いたスイッチ装置において、クリックばねの中心に対して、押し子部材が斜めに押下された場合、押し子部材の外周縁部でクリックばねを押すこととなるため、クリックばねが中心から離れた位置で押圧されることとなり、スイッチ操作の作動力にばらつきが生じてしまっていた。そこで、このような事象の発生を抑制する方法として、押し子部材の形状を変更する等の方法が考えられるが、この場合、スイッチ装置の製造コストが増加してしまう虞がある。このようなことから、押し子部材を備えるクリックばね付きシートを用いたスイッチ装置において、製造コストを増加させることなく、スイッチ操作の作動力のばらつきを抑制できるようにすることが求められている。
【課題を解決するための手段】
【０００６】
一実施形態のクリックばね付きシートは、シート部材と、前記シート部材の一方の面に設けられたクリックばねと、前記シート部材の他方の面において、前記クリックばねの頂部と対向する位置に設けられた押し子部材と、を備え、前記押し子部材における前記シート部材との接触面は、溶着された部分であり、当該接触面の外周縁部に沿って設けられた溶着部と、溶着されていない部分であり、前記溶着部に囲まれた領域内に設けられた非溶着部とを、それぞれ有する。
【発明の効果】
【０００７】
一実施形態によれば、押し子部材を備えるクリックばね付きシートを用いたスイッチ装置において、製造コストを増加させることなく、スイッチ操作の作動力のばらつきを抑制することができる。
【図面の簡単な説明】
【０００８】
【図１】一実施形態に係るクリックばね付きシートを示す平面図である。
【図２】図１に示すクリックばね付きシートのＡ−Ａ断面図である。
【図３】一実施形態に係るクリックばね付きシートを備えたスイッチ装置を示す断面図である。
【図４Ａ】一実施形態に係るクリックばね付きシートにおける、押し子部材およびシート部材の接合部の一部拡大断面図である。
【図４Ｂ】一実施形態に係るクリックばね付きシートにおける、押し子部材およびシート部材の接合部の一部拡大背面図である。
【図５】一実施形態に係るクリックばね付きシートの製造方法の手順を示すフローチャートである。
【図６】従来の構成のスイッチ装置を示す断面図である。
【図７】従来の構成のクリックばね付きシートにおける、押し子部材およびシート部材の接合部の一部拡大断面図である。
【図８Ａ】一実施形態に係るスイッチ装置の動作を示す図である。
【図８Ｂ】一実施形態に係るスイッチ装置の動作を示す図である。
【図９Ａ】従来の構成のスイッチ装置の動作を示す図である。
【図９Ｂ】従来の構成のスイッチ装置の動作を示す図である。
【図１０】一実施形態に係るスイッチ装置および従来の構成のスイッチ装置の各々の作動力の測定結果を示すグラフである。
【図１１】一実施形態に係るクリックばね付きシートを備えたスイッチ装置の変形例を示す断面図である。
【発明を実施するための形態】
【０００９】
以下、図面を参照して、一実施形態について説明する。
【００１０】
（クリックばね付きシート１００の構成）
図１は、一実施形態に係るクリックばね付きシート１００を示す平面図である。図２は、図１に示すクリックばね付きシート１００のＡ−Ａ断面図である。図１および図２に示すクリックばね付きシート１００は、回路基板１２０（図３参照）に貼り合されることにより、回路基板１２０とともにスイッチ装置１０（図３参照）を構成し、当該スイッチ装置１０の操作部として機能する部材である。
【００１１】
図１および図２に示すように、クリックばね付きシート１００は、シート部材１０２、クリックばね１０４、押し子部材１０６、およびスペーサ１０８を備えて構成されている。
【００１２】
シート部材１０２は、透明且つ薄いフィルム状の部材である。シート部材１０２は、フレキシブルである。シート部材１０２には、例えば、ＰＥＴ（Polyethylene Terephthalate）等の樹脂素材が用いられる。図１に示す例では、シート部材１０２は、平面視したときの形状として、角が面取り加工された矩形状を有しているが、シート部材１０２の形状はこれに限らない。
【００１３】
クリックばね１０４は、シート部材１０２の裏面１０２Ｂ（図中Ｚ軸負側の面、特許請求の範囲に記載の「他方の面」の一例）且つシート部材１０２の中央に設けられた、薄板状の部材である。クリックばね１０４は、粘着剤によって、シート部材１０２の裏面１０２Ｂに貼り付けられている。クリックばね１０４は、表面側（図中Ｚ軸正側）に向かって凸状に湾曲している、いわゆるドーム状をなしている。クリックばね１０４は、ばね性を有しており、表面側から押圧力が加えられたときに、凹状に変形し、押圧力から解放されたときに、反発力によって元の凸状に戻るようになっている。クリックばね１０４には、例えば、導電性を有する金属素材が用いられる。図１に示す例では、クリックばね１０４は、平面視したときの形状として、楕円形状を有しているが、クリックばね１０４の形状はこれに限らない。
【００１４】
押し子部材１０６は、シート部材１０２の表面１０２Ａ（図中Ｚ軸正側の面、特許請求の範囲に記載の「一方の面」の一例）且つシート部材１０２の中央（シート部材１０２の裏面１０２Ｂに設けられたクリックばね１０４の頂部と対向する位置）に設けられた、凸状の部材である。押し子部材１０６は、レーザ溶着によって、シート部材１０２の表面１０２Ａに溶着されている。図１に示す例では、押し子部材１０６とシート部材１０２とはレーザ溶着によって溶着されているが、レーザ溶着に限定するものではなく、例えば、超音波溶着や熱プレスなどであっても良い。但し、レーザ溶着を用いることにより、溶着部の位置の調整を容易に行うことができるという点で、より好ましい。押し子部材１０６には、例えば、ＰＥＴ等の樹脂素材が用いられる。図１に示す例では、押し子部材１０６は、平面視したときの形状として、円形状を有しているが、押し子部材１０６の形状はこれに限らない。
【００１５】
スペーサ１０８は、クリックばね１０４の周囲を取り囲むようにシート部材１０２の裏面１０２Ｂに設けられた、薄いフィルム状の部材である。スペーサ１０８は、フレキシブルである。スペーサ１０８は、粘着剤によって、シート部材１０２の裏面１０２Ｂに貼り付けられている。スペーサ１０８には、例えば、ＰＥＴ等の樹脂素材が用いられる。スペーサ１０８は、クリックばね付きシート１００が基板に貼り合されたときに、シート部材１０２をかさ上げして、クリックばね１０４の可動領域となる空間１００Ａを確保するための部材である。
【００１６】
（スイッチ装置１０の構成）
図３は、一実施形態に係るクリックばね付きシート１００を備えたスイッチ装置１０を示す断面図である。図３に示すスイッチ装置１０は、各種電子機器（例えば、スマートフォン、タブレット端末等）に用いられる装置である。図３に示すように、スイッチ装置１０は、図１および図２に示したクリックばね付きシート１００と、回路基板１２０とを備えて構成されている。
【００１７】
回路基板１２０は、基材１２２、第１の固定接点１２４、および第２の固定接点１２６を備えている。基材１２２は、板状の部材である。基材１２２には、例えば、フェノール樹脂、エポキシ樹脂、ガラス基板等の素材が用いられる。第１の固定接点１２４および第２の固定接点１２６は、基材１２２の表面（クリックばね付きシート１００と対向する面、図中Ｚ軸正側の面）に形成されている薄膜状の部材である。第１の固定接点１２４および第２の固定接点１２６には、例えば、導電性を有する金属素材が用いられる。
【００１８】
図３に示すように、クリックばね付きシート１００および回路基板１２０は、互いに貼り合されて積層構造をなすことによって、スイッチ装置１０を形成する。具体的には、クリックばね付きシート１００は、スペーサ１０８の底面部分において、粘着剤によって、回路基板１２０（基材１２２）の表面に貼り付けられる。このとき、クリックばね１０４の縁部は、第２の固定接点１２６に常に接触した状態となる。また、クリックばね１０４の中心位置は、第１の固定接点１２４の中心位置に位置合わせされた状態となる。
【００１９】
このように構成されたスイッチ装置１０は、押し子部材１０６が押下されて、その押圧力がクリックばね１０４に加わると、クリックばね１０４が凹状に変形して、クリックばね１０４の中心部が第１の固定接点１２４に接触する。これにより、第１の固定接点１２４と第２の固定接点１２６との間が、クリックばね１０４を介して導通状態となる。
【００２０】
このとき、スイッチ装置１０は、押し子部材１０６によって、クリックばね１０４に押圧力を確実に伝達できるとともに、クリックばね１０４によって、良好なクリック操作感を得ることができるようになっている。特に、押し子部材１０６は、シート部材１０２にレーザ溶着されているため、シート部材１０２との接合強度が比較的高く、剥離などによる脱落を抑制できるものとなっている。
【００２１】
一方、スイッチ装置１０は、押し子部材１０６が押下されなくなって、クリックばね１０４が押圧力から解放されると、クリックばね１０４が元の凸状に復帰して、クリックばね１０４の中心部の第１の固定接点１２４への接触が解除される。これにより、第１の固定接点１２４と第２の固定接点１２６との間が、非導通状態となる。
【００２２】
（押し子部材１０６およびシート部材１０２の接合部の構成）
図４は、一実施形態に係るクリックばね付きシート１００における、押し子部材１０６およびシート部材１０２の接合部の一部拡大図である。図４Ａは、押し子部材１０６およびシート部材１０２の接合部の一部拡大断面図である。図４Ｂは、押し子部材１０６およびシート部材１０２の接合部の一部拡大背面図である。
【００２３】
図４に示すように、押し子部材１０６におけるシート部材１０２との接触面１０６Ａは、円形状を有しており、溶着部１０６Ａ−１および非溶着部１０６Ａ−２を有して構成されている。溶着部１０６Ａ−１は、シート部材１０２に対してレーザ溶着されている部分である。非溶着部１０６Ａ−２は、シート部材１０２に対してレーザ溶着されていない部分である。
【００２４】
接触面１０６Ａにおいて、溶着部１０６Ａ−１は、当該接触面１０６Ａの外周縁部に沿って設けられた部分である。一方、非溶着部１０６Ａ−２は、溶着部１０６Ａ−１に囲まれた領域内に設けられた部分である。
【００２５】
図４に示す例では、溶着部１０６Ａ−１は、接触面１０６Ａの外周縁部に沿って全周に亘って形成されており、且つ、接触面１０６Ａの外周縁部に形成されている。また、図４に示す例では、接触面１０６Ａにおいて、溶着部１０６Ａ−１に囲まれた領域内は、全て非溶着部１０６Ａ−２となっており、すなわち、レーザ溶着された部分を有しない。
【００２６】
シート部材１０２の裏面１０２Ｂには、溶着部１０６Ａ−１をレーザ溶着したときの熱収縮により、溶着部１０６Ａ−１に沿って、環状の窪み部１０２Ｂ−１が形成されている。これにより、シート部材１０２の裏面１０２Ｂにおいて、窪み部１０２Ｂ−１に囲まれた領域には、円錐台形状を有する凸状部１０２Ｂ−２が形成されている。すなわち、凸状部１０２Ｂ−２のＺ方向負側の略円形の面は、その外周縁部が押し子部材１０６の外周縁部よりもクリックばね１０４の中心部に近い位置となる。
【００２７】
参考までに、押し子部材１０６および窪み部１０２Ｂ−１のサイズの一例について、以下に示す。
【００２８】
押し子部材１０６の直径：１．５ｍｍ
押し子部材１０６の厚さ：１８８μｍ
窪み部１０２Ｂ−１の中心線の直径：１．２８ｍｍ
窪み部１０２Ｂ−１の深さ：１０μｍ
【００２９】
（クリックばね付きシート１００の製造方法）
図５は、一実施形態に係るクリックばね付きシート１００の製造方法の手順を示すフローチャートである。
【００３０】
まず、シート部材１０２の表面１０２Ａ且つシート部材１０２の中央に、押し子部材１０６を配置し、押し子部材１０６とシート部材１０２との接合部に対し、シート部材１０２側からレーザ光を照射することにより、押し子部材１０６をシート部材１０２にレーザ溶着する（ステップＳ５０１：溶着工程）。ここでは、押し子部材１０６の接触面１０６Ａの外周縁部に沿って全周に亘って、シート部材１０２をレーザ溶着する。これにより、図４に示すように、シート部材１０２の裏面１０２Ｂにおいて、環状の窪み部１０２Ｂ−１が形成されるとともに、当該窪み部１０２Ｂ−１に囲まれた領域に、円錐台形状を有する凸状部１０２Ｂ−２が形成される。
【００３１】
（ステップＳ５０２：第１の貼付工程）
次に、シート部材１０２の裏面１０２Ｂに、粘着剤等（例えば、裏面１０２Ｂの全面に亘って形成された粘着層）により、クリックばね１０４を貼り付ける。このとき、クリックばね１０４の中心が、シート部材１０２の中心と一致するようにする。すなわち、クリックばね１０４の中心（頂部）が押し子部材１０６の中心と一致するようにする。
【００３２】
（ステップＳ５０３：第２の貼付工程）
次に、シート部材１０２の裏面１０２Ｂに、粘着剤等（例えば、裏面１０２Ｂの全面に亘って形成された粘着層）により、スペーサ１０８を貼り付ける。ここで、スペーサ１０８の外周縁部の形状は、シート部材１０２の外周縁部の形状（角が面取り加工された矩形状）と同一である。このため、本工程では、スペーサ１０８の外周縁部とシート部材１０２の外周縁部とが互いに一致するように、両者を貼り合せる。
【００３３】
上記ステップＳ５０１〜Ｓ５０３により、図１〜図４に示すクリックばね付きシート１００が製造されることとなる。
【００３４】
なお、各工程の実施順序は、上記した順序に限らない。例えば、スペーサ１０８の貼り付けは、押し子部材１０６をレーザ溶着する前に行われてもよく、クリックばね１０４を貼り付ける前に行われてもよい。
【実施例】
【００３５】
以下、図面を参照して、一実施例について説明する。本実施例では、実施形態のスイッチ装置１０と、比較例としてのスイッチ装置２０とを用いて、それぞれについて、スイッチ操作の作動力を測定した。【００３６】
（スイッチ装置２０の構成）
図６は、従来の構成のスイッチ装置２０を示す断面図である。図６に示すように、スイッチ装置２０は、クリックばね付きシート６００と、回路基板６２０とを備えて構成されている。クリックばね付きシート６００は、シート部材６０２、クリックばね６０４、押し子部材６０６、およびスペーサ６０８を備えて構成されている。回路基板６２０は、基材６２２、第１の固定接点６２４、および第２の固定接点６２６を備えている。【００３７】
このように、クリックばね付きシート６００および回路基板６２０の構成は、実施形態のクリックばね付きシート１００および回路基板１２０の構成と、殆ど同様である。但し、図７で説明するように、クリックばね付きシート６００は、シート部材６０２に対する押し子部材６０６のレーザ溶着方法が、実施形態のクリックばね付きシート１００と異なる。【００３８】
（クリックばね付きシート６００の構成）
図７は、従来の構成のクリックばね付きシート６００における、押し子部材６０６およびシート部材６０２の接合部の一部拡大断面図である。図７に示すように、クリックばね付きシート６００において、シート部材６０２の表面６０２Ａには、押し子部材６０６がレーザ溶着されている。ここで、クリックばね付きシート６００では、実施形態のクリックばね付きシート１００と異なり、押し子部材６０６におけるシート部材６０２との接触面６０６Ａの全面に亘って、シート部材６０２がレーザ溶着されている。これにより、図７に示すように、シート部材６０２の裏面６０２Ｂには、接触面６０６Ａの全面をレーザ溶着したときの熱収縮により、接触面６０６Ａと重なる部分の全面に亘って、全体的に椀形状を有する窪み部６０２Ｂ−１が形成されている。【００３９】
（スイッチ装置１０およびスイッチ装置２０の動作）
図８は、一実施形態に係るスイッチ装置１０の動作を示す図である。図９は、従来の構成のスイッチ装置２０の動作を示す図である。図８Ａおよび図９Ａでは、クリックばね１０４，６０４の中心に対して、測定子８００を傾けずに、当該測定子８００によって押し子部材１０６，６０６を押下した場合について示している。この場合、スイッチ装置１０，２０のいずれにおいても、図８Ａ中矢印Ａおよび図９Ａ中矢印Ｃが示すように、押し子部材１０６によって、クリックばね１０４，６０４の中心が押されることとなるため、一定の作動力を得ることができる。【００４０】
一方、図８Ｂおよび図９Ｂでは、クリックばね１０４，６０４の中心に対して、測定子８００を傾けて、当該測定子８００によって押し子部材１０６，６０６を押下した場合について示している。【００４１】
この場合、測定子８００はＹ軸負側が低くなっているため、測定子８００を下方へ移動させると、先ず始めに押し子部材１０６，６０６のＹ軸負側に接触するため、押し子部材１０６，６０６は測定子８００と同じ方向に傾いた状態で押下される。そのため、クリックばね１０４，６０４の中心から離れた位置である押し子部材１０６，６０６のＹ軸負側の縁部付近でクリックばね１０４，６０４を押すこととなる。【００４２】
このとき、従来のスイッチ装置２０では、押し子部材６０６の外周縁部でクリックばね６０４を押すことになる。すなわち、図９Ｂ中矢印Ｄが示すように、押し子部材６０６の外周縁部によって、クリックばね１０４の中心から比較的離れた位置が押されることとなるため、測定子８００を傾けない場合からの作動力の減少が、比較的大きくなる。【００４３】
一方、一実施形態に係るスイッチ装置１０では、押し子部材１０６の外周縁部に沿って窪み部１０２Ｂ−１が設けられているため、押し子部材１０６の外周縁部よりもクリックばね１０４の中心に近い位置にある凸状部１０２Ｂ−２の外周縁部でクリックばね１０４を押すことになる。すなわち、図８Ｂ中矢印Ｂが示すように、シート部材１０２の裏面１０２Ｂに形成されている凸状部１０２Ｂ−２（図４参照）によって、クリックばね１０４の中心に比較的近い位置が押されることとなるため、測定子８００を傾けない場合からの作動力の減少を、比較的小さくすることができる。【００４４】
（作動力の測定結果）
図１０は、一実施形態に係るスイッチ装置１０および従来の構成のスイッチ装置２０の各々の作動力の測定結果を示すグラフである。ここでは、図８および図９で説明した測定方法により、スイッチ装置１０およびスイッチ装置２０のそれぞれについて、測定子８００の傾きを変化させつつ、測定子８００によって作動力を測定した。図１０は、スイッチ装置１０およびスイッチ装置２０の各々の測定結果を示すものである。なお、図１０では、測定子８００の傾きを０°とした場合に得られる作動力を「１００％」としている。図１０に示すように、スイッチ装置１０は、測定子８００の傾きを０°以外とした場合、スイッチ装置２０と比較して、作動力の減少が抑制されたものとなっている。図８で説明したように、スイッチ装置１０では、シート部材１０２の裏面１０２Ｂに形成されている凸状部１０２Ｂ−２（図４参照）によって、クリックばね１０４の中心に比較的近い位置が押されるからである。【００４５】
以上説明したように、一実施形態に係るクリックばね付きシート１００およびスイッチ装置１０は、押し子部材１０６におけるシート部材１０２との接触面１０６Ａが、溶着された部分であり、当該接触面１０６Ａの外周縁部に沿って設けられた溶着部１０６Ａ−１と、溶着されていない部分であり、溶着部１０６Ａ−１に囲まれた領域内に設けられた非溶着部１０６Ａ−２とを、それぞれ有する。これにより、一実施形態に係るクリックばね付きシート１００およびスイッチ装置１０によれば、シート部材１０２の裏面１０２Ｂにおいて、溶着部１０６Ａ−１と重なる部分に、レーザ溶着時の熱収縮による窪み部１０２Ｂ−１を形成し、その結果、非溶着部１０６Ａ−２と重なる部分に、凸状部１０２Ｂ−２を形成することができる。すなわち、押し子部材１０６の形状を変更する等の特別な加工を必要とすることなく、レーザ溶着時のレーザ照射位置の制御により、シート部材１０２の裏面１０２Ｂにおける溶着部１０６Ａ−１に囲まれた領域内に、凸状部１０２Ｂ−２を形成することができる。そして、凸状部１０２Ｂ−２により、押し子部材１０６が斜めに押下された場合であっても、クリックばね１０４の中心に比較的近い位置を押圧することができるため、作動力の低下を抑制することができる。したがって、一実施形態に係るクリックばね付きシート１００およびスイッチ装置１０によれば、製造コストを増加させることなく、スイッチ操作の作動力のばらつきを抑制することができる。【００４６】
特に、一実施形態に係るクリックばね付きシート１００およびスイッチ装置１０は、押し子部材１０６の接触面１０６Ａにおいて、溶着部１０６Ａ−１は、当該接触面１０６Ａの外周縁部に沿って全周に亘って形成されている。また、押し子部材１０６の接触面１０６Ａにおいて、溶着部１０６Ａ−１に囲まれた領域内には、レーザ溶着された部分を有しない。また、押し子部材１０６の接触面１０６Ａは、円形状を有する。これにより、一実施形態に係るクリックばね付きシート１００およびスイッチ装置１０によれば、押し子部材１０６が斜めのいずれの方向から押下された場合であっても、クリックばね１０４の中心に比較的近い位置を押圧することができるため、作動力の低下を抑制することができる。【００４７】
（変形例）
図１１は、一実施形態に係るクリックばね付きシート１００を備えたスイッチ装置１０の変形例を示す断面図である。図１１に示すスイッチ装置１０'は、図３に示すスイッチ装置１０の変形例である。このスイッチ装置１０'は、クリックばね付きシート１００'および回路基板１２０'を備えて構成されている。【００４８】
クリックばね付きシート１００'は、１枚のシート部材１０２に、クリックばね１０４と押し子部材１０６との組を複数有している。複数の組の各々において、押し子部材１０６におけるシート部材１０２との接触面１０６Ａは、図４に示したように、当該接触面１０６Ａの外周縁部に沿って全周に亘って形成されている溶着部１０６Ａ−１と、溶着部１０６Ａ−１に囲まれた領域内に形成されている非溶着部１０６Ａ−２とを、それぞれ有する。【００４９】
回路基板１２０'は、１枚の基材１２２に、第１の固定接点１２４と第２の固定接点１２６との組を複数有している。複数の組の各々において、クリックばね１０４の縁部は、第２の固定接点１２６は、クリックばね１０４の縁部に常に接触した状態となっており、第１の固定接点１２４は、その中心位置が、クリックばね１０４の中心位置に位置合わせされた状態となっている。【００５０】
このように構成されたスイッチ装置１０'は、２つのスイッチ部を有したものとなり、各スイッチ部は、スイッチ装置１０と同様の構成を有するものとなる。したがって、スイッチ装置１０'によれば、２つのスイッチ部の各々において、スイッチ操作を行う際の作動力のばらつきを抑制することができる。【００５１】
以上、本発明の一実施形態について詳述したが、本発明はこれらの実施形態に限定されるものではなく、特許請求の範囲に記載された本発明の要旨の範囲内において、種々の変形又は変更が可能である。【００５２】
例えば、上記実施形態では、押し子部材１０６の接触面１０６Ａにおいて、当該接触面１０６Ａの外周縁部に沿って、当該外周縁部の全周に亘って溶着部１０６Ａ−１が形成されているが、これに限らない。例えば、溶着部１０６Ａ−１は、接触面１０６Ａの外周縁部に沿って、当該外周縁部より僅かに内側に形成されてもよい。また、例えば、溶着部１０６Ａ−１は、接触面１０６Ａの外周縁部に沿って、間欠的に形成されてもよい。【００５３】
また、例えば、上記実施形態では、押し子部材１０６の接触面１０６Ａにおいて、溶着部１０６Ａ−１に囲まれた領域内には、レーザ溶着された部分を有しないが、これに限らない。すなわち、溶着部１０６Ａ−１に囲まれた領域内に、レーザ溶着された部分を有していてもよい。【００５４】
また、例えば、上記実施形態では、押し子部材１０６の接触面１０６Ａは、円形状を有するが、これに限らない。すなわち、押し子部材１０６の接触面１０６Ａは、円形状以外の形状（例えば、楕円形状、多角形状等）であってもよい。【００５５】
また、例えば、上記実施形態では、クリックばね付きシート１００は、スペーサ１０８を備えているが、これに限らない。すなわち、クリックばね付きシート１００は、スペーサ１０８を介さずに、基材１２２の表面に直接的に貼り付けることが可能であってもよい。【００５６】
また、例えば、上記実施形態では、特許請求の範囲に記載の「基材」の一例として、回路基板１２０の基材１２２を用いているが、これに限らない。すなわち、クリックばね付きシート１００が貼り付けられる「基材」は、少なくとも、クリックばね１０４と対向する表面上に、第１の固定接点および第２の固定接点を有するものであれば、如何なる構成部材であってもよい。例えば、クリックばね付きシート１００が貼り付けられる「基材」は、上部が開口した容器状の筐体の内部底面を構成する部材であってもよい。この場合、クリックばね付きシート１００が筐体の上部に貼り付けられることにより、筐体の上部の開口が閉塞されるように構成してもよい。【００５７】
本国際出願は、２０１７年６月１９日に出願した日本国特許出願第２０１７−１１９９０５号に基づく優先権を主張するものであり、当該出願の全内容を本国際出願に援用する。
【符号の説明】
【００５８】
１０  スイッチ装置
１００  クリックばね付きシート
１００Ａ  空間
１０２  シート部材
１０２Ａ  表面（一方の面）
１０２Ｂ  裏面（他方の面）
１０４  クリックばね
１０６  押し子部材
１０６Ａ  接触面
１０６Ａ−１  溶着部
１０６Ａ−２  非溶着部
１０８  スペーサ
１２０  回路基板
１２２  基材
１２４  第１の固定接点
１２６  第２の固定接点
【図１】
2018235426.tif 000003
【図２】
2018235426.tif 000004
【図３】
2018235426.tif 000005
【図４Ａ】
2018235426.tif 000006
【図４Ｂ】
2018235426.tif 000007
【図５】
2018235426.tif 000008
【図６】
2018235426.tif 000009
【図７】
2018235426.tif 000010
【図８Ａ】
2018235426.tif 000011
【図８Ｂ】
2018235426.tif 000012
【図９Ａ】
2018235426.tif 000013
【図９Ｂ】
2018235426.tif 000014
【図１０】
2018235426.tif 000015
【図１１】
2018235426.tif 000016
【国際調査報告】
2018235426.tif 000017
2018235426.tif 000018
2018235426.tif 000019
2018235426.tif 000020